(57)【要約】  【課題】  簡単な構成でありながら、赤外光遮断フィルタを取り除く改造を防止できるようにした撮像装置を提供する。  【解決手段】  入射光を結像するレンズユニット２と、結像された光学像を電気信号に変換するＣＣＤ４と、レンズユニット２を経てＣＣＤ４へ入射する赤外光を遮断する赤外光遮断フィルタ３と、ＣＣＤ４が出力する電気信号に所定の信号処理を施して画像データを生成する画像処理回路６とを備えるＤＳＣ１であって、ＣＣＤ４が出力する電気信号からＣＣＤ４に入射している赤外光の光量に基づく信号を生成して出力するＤＳＰ６ａと、ＤＳＰ６ａからの信号に基づいてＣＣＤ４に入射している赤外光の光量が、赤外光遮断フィルタ３を通してはＣＣＤ４に入射することのない赤外光の光量である所定の光量以上であるか否かを判定し、前記所定の光量以上であると判定した場合にはＤＳＰ６ａの動作を停止させるＣＰＵ８とを有する。【選択図】      図１
2006197315.tif 000002
【特許請求の範囲】
【請求項１】
入射光を結像する結像光学系と、Ｒ（赤）、Ｇ（緑）、Ｂ（青）の３色の色フィルタ、
またはＣ（シアン）、Ｍ（マゼンタ）、Ｙ（イエロー）の３色の色フィルタを備え前記結
像光学系によって結像された光学像を各色フィルタに対応する色情報を含む電気信号に変
換する撮像素子と、前記結像光学系を経て前記撮像素子へ入射する赤外光を遮断する赤外
光遮断フィルタと、前記撮像素子が出力する電気信号に所定の信号処理を施して画像デー
タを生成する画像処理手段とを備えるデジタルスチルカメラであって、
前記撮像素子が出力する電気信号から前記各色フィルタに対応する色信号を生成して出
力する信号生成手段と、
該信号生成手段からの各色信号のレベルの比が略同一である場合に、前記撮像素子に入
射している赤外光の光量が、前記赤外光遮断フィルタを通しては前記撮像素子に入射する
ことのない赤外光の光量である所定の光量以上であると判定して前記画像処理手段の動作
を停止させる赤外光量判定手段と、
該赤外光量判定手段が、前記撮像素子に入射している赤外光の光量が前記所定の光量以
上であると判定した場合に所定のエラー表示を行う表示手段と、
を有することを特徴とするデジタルスチルカメラ。
【請求項２】
入射光を結像する結像光学系と、該結像光学系によって結像された光学像を電気信号に
変換する撮像素子と、前記結像光学系を経て前記撮像素子へ入射する赤外光を遮断する赤
外光遮断フィルタと、前記撮像素子が出力する電気信号に所定の信号処理を施して画像デ
ータを生成する画像処理手段とを備える撮像装置であって、
前記撮像素子が出力する電気信号から前記撮像素子に入射している赤外光の光量に基づ
く信号を生成して出力する信号生成手段と、
該信号生成手段からの信号に基づいて前記撮像素子に入射している赤外光の光量が、前
記赤外光遮断フィルタを通しては前記撮像素子に入射することのない赤外光の光量である
所定の光量以上であるか否かを判定し、前記所定の光量以上であると判定した場合には前
記画像処理手段の動作を停止させる赤外光量判定手段と、
を有することを特徴とする撮像装置。
【請求項３】
前記撮像素子は、複数の色フィルタを備え前記結像光学系によって結像された光学像を
前記各色フィルタに対応する色情報を含む電気信号に変換して出力し、
前記信号生成手段は、前記電気信号から前記各色フィルタに対応する色信号を生成して
出力し、
前記赤外光量判定手段は、前記信号生成手段からの各色信号のレベルを比較して、各色
信号レベルの比が所定の比率範囲内である場合に前記撮像素子に入射している赤外光の光
量が前記所定の光量以上であると判定することを特徴とする請求項２に記載の撮像装置。
【請求項４】
前記複数の色フィルタが、Ｒ（赤）、Ｇ（緑）、Ｂ（青）の３色の色フィルタであり、
前記赤外光量判定手段は、各色成分の色信号レベルの比が略同一である場合に前記撮像
素子に入射している赤外光の光量が前記所定の光量以上であると判定することを特徴とす
る請求項３に記載の撮像装置。
【請求項５】
前記複数の色フィルタが、Ｃ（シアン）、Ｍ（マゼンタ）、Ｙ（イエロー）の３色の色
フィルタであり、
前記赤外光量判定手段は、各色成分の色信号レベルの比が略同一である場合に前記撮像
素子に入射している赤外光の光量が前記所定の光量以上であると判定することを特徴とす
る請求項３に記載の撮像装置。
【請求項６】
表示手段を有し、前記赤外光量判定手段は、前記撮像素子に入射している赤外光の光量
が前記所定の光量以上であると判定した場合には、前記表示手段に所定のエラー表示を行
うことを特徴とする請求項２〜請求項５のいずれかに記載の撮像装置。
【発明の詳細な説明】
【技術分野】
【０００１】
本発明は、デジタルスチルカメラ及び撮像装置に関するものであり、特に、結像光学系
を経て撮像素子へ入射する赤外光を遮断する赤外光遮断フィルタを有するデジタルスチル
カメラ及び撮像装置に関するものである。
【背景技術】
【０００２】
従来から、デジタルスチルカメラ（ＤＳＣ：Digital Still Camera）やデジタルビデオ
カメラ等の小型の撮像装置には撮像素子としてＣＣＤ（Charge-Coupled Devices）イメー
ジセンサが多く用いられている。
【０００３】
ＣＣＤイメージセンサは、一般に可視光だけではなく可視光よりも波長の長い赤外領域
にも感度を有しているので、ＣＣＤイメージセンサを搭載した撮像装置は、良好な色再現
性を得るために、即ち、人間の視感度に合わせた分光感度特性を得るために、赤外光を遮
断するための光学フィルタ（クリスタルフィルタ）である赤外光遮断フィルタを、被写体
像を撮像素子上に結像させるレンズユニットとＣＣＤイメージセンサとの間の光路上に配
置する構成をとっている。
【０００４】
しかしながら、この赤外光遮断フィルタを故意に取り除く改造を行い、改造した撮像装
置により、衣料を透視して人体を撮像し、非人道的な行為に利用するというようなことを
行う者が現れるようになってきた。これは、赤外光は衣料を直進透過してしまうのに対し
、人間の肌には反射されるため、この反射された赤外光を人間の裸体の像として捕らえる
ことができることを利用したものである。このように、従来の撮像装置では、赤外光遮断
フィルタを取り除くと、色再現性は悪くなるものの、上記のような透視などの不正な行為
を行うことが可能となっていた。
【０００５】
また、改造防止という観点からは、コンピュ−タ等を内蔵したケ−スが開かれた場合、
再びケ−スが閉じられてもコンピュ−タの作動を制限することによってコンピュ−タの改
造を防止することを目的としたコンピュータ改造防止システムがある（例えば、特許文献
１参照）。
【０００６】
また、改造されているか否かを検出するという観点からは、電子的に制御される機器に
おける制御部の全体または一部が改造されているか否かを、漏洩電波のスペクトルを分析
することにより検出できるようにした改造検出装置がある（例えば、特許文献２参照）。
【特許文献１】特開平１１−２４９８９１号公報
【特許文献２】特開２０００−３２２３２３号公報
【発明の開示】
【発明が解決しようとする課題】
【０００７】
ＣＣＤを搭載した撮像装置が、上述した透視などの不正な行為に使用されることを防止
するためには、赤外光遮断フィルタを取り除く改造を防止できるようにすることが必要で
ある。
【０００８】
特許文献１に記載の従来技術を応用して、赤外光遮断フィルタを取り除くためにケース
を開けると、通電モジュールによりＣＣＤイメージセンサからの画像信号等を修復不能に
変質させるようにすれば、赤外光遮断フィルタを取り除く改造を防止できるようにするこ
とは可能であるが、そのためには赤外光遮断フィルタを上記のような専用のケースで完全
に覆う構成が必要であるとともに前記通電モジュールを搭載しなければならず、撮像装置
の構成が複雑になり、コストが上昇してしまうという問題があった。
【０００９】
また、特許文献２に記載の従来の改造検出装置は、改造されているか否かを検出するも
のであり、改造を防止できるようにするものではなく、また、漏洩電波のスペクトルの分
析からでは、撮像装置における赤外光遮断フィルタを取り除く改造がされているか否かを
検出することはできない。
【００１０】
本発明は、上記の点に鑑み、簡単な構成でありながら、赤外光遮断フィルタを取り除く
改造を防止できるようにしたデジタルスチルカメラ及び撮像装置を提供することを目的と
する。
【課題を解決するための手段】
【００１１】
上記目的を達成するために、請求項１の発明は、入射光を結像する結像光学系と、Ｒ（
赤）、Ｇ（緑）、Ｂ（青）の３色の色フィルタ、またはＣ（シアン）、Ｍ（マゼンタ）、
Ｙ（イエロー）の３色の色フィルタを備え前記結像光学系によって結像された光学像を各
色フィルタに対応する色情報を含む電気信号に変換する撮像素子と、前記結像光学系を経
て前記撮像素子へ入射する赤外光を遮断する赤外光遮断フィルタと、前記撮像素子が出力
する電気信号に所定の信号処理を施して画像データを生成する画像処理手段とを備えるデ
ジタルスチルカメラであって、前記撮像素子が出力する電気信号から前記各色フィルタに
対応する色信号を生成して出力する信号生成手段と、該信号生成手段からの各色信号のレ
ベルの比が略同一である場合に、前記撮像素子に入射している赤外光の光量が、前記赤外
光遮断フィルタを通しては前記撮像素子に入射することのない赤外光の光量である所定の
光量以上であると判定して前記画像処理手段の動作を停止させる赤外光量判定手段と、該
赤外光量判定手段が、前記撮像素子に入射している赤外光の光量が前記所定の光量以上で
あると判定した場合に所定のエラー表示を行う表示手段とを有することを特徴とするデジ
タルスチルカメラを提供する。
【００１２】
この構成によれば、撮像素子から出力される電気信号は、結像光学系によって結像され
た光学像を変換した電気信号であって、Ｒ（赤）、Ｇ（緑）、Ｂ（青）の３色、または、
Ｃ（シアン）、Ｍ（マゼンタ）、Ｙ（イエロー）の３色の色情報を含む電気信号となり、
信号生成手段に与えられる。
【００１３】
そして、信号生成手段は、与えられた電気信号から前記３色の各色成分に対応する色信
号を生成して赤外光量判定手段に与え、赤外光量判定手段は、与えられた各色成分の色信
号レベルの比が略同一である場合に、前記撮像素子に入射している赤外光の光量が所定の
光量以上であると判定して画像処理手段の動作を停止させる。これにより、前記画像処理
手段による画像データの生成が行われなくなる。
【００１４】
前記所定の光量は、赤外光遮断フィルタを通しては前記撮像素子に入射することのない
赤外光の光量として設定されているので、前記赤外光遮断フィルタが取り外され、前記赤
外光遮断フィルタを通しては入射することのない赤外光が前記撮像素子に入射している場
合には、前記画像処理手段による画像データの生成が行われなくなる。
【００１５】
また、このとき、前記赤外光量判定手段は、表示手段にエラー表示を行うので、ユーザ
にとっては、前記画像処理手段による画像データの生成が行われなくなったことを認識す
ることが容易となる。
【００１６】
請求項２の発明は、入射光を結像する結像光学系と、該結像光学系によって結像された
光学像を電気信号に変換する撮像素子と、前記結像光学系を経て前記撮像素子へ入射する
赤外光を遮断する赤外光遮断フィルタと、前記撮像素子が出力する電気信号に所定の信号
処理を施して画像データを生成する画像処理手段とを備える撮像装置であって、前記撮像
素子が出力する電気信号から前記撮像素子に入射している赤外光の光量に基づく信号を生
成して出力する信号生成手段と、該信号生成手段からの信号に基づいて前記撮像素子に入
射している赤外光の光量が、前記赤外光遮断フィルタを通しては前記撮像素子に入射する
ことのない赤外光の光量である所定の光量以上であるか否かを判定し、前記所定の光量以
上であると判定した場合には前記画像処理手段の動作を停止させる赤外光量判定手段とを
有することを特徴とする撮像装置を提供する。
【００１７】
この構成によれば、撮像素子から結像光学系によって結像された光学像を変換した電気
信号が信号生成手段に与えられる。そして、信号生成手段は、与えられた電気信号から前
記撮像素子に入射している赤外光の光量に基づく信号を生成して赤外光量判定手段に与え
、赤外光量判定手段は、信号生成手段から与えられた信号に基づいて前記撮像素子に入射
している赤外光の光量が所定の光量以上であるか否かを判定し、前記所定の光量以上であ
ると判定した場合には画像処理手段の動作を停止させる。これにより、前記画像処理手段
による画像データの生成が行われなくなる。
【００１８】
前記所定の光量は、赤外光遮断フィルタを通しては前記撮像素子に入射することのない
赤外光の光量として設定されているので、前記赤外光遮断フィルタが取り外され、前記赤
外光遮断フィルタを通しては入射することのない赤外光が前記撮像素子に入射している場
合には、前記画像処理手段による画像データの生成が行われなくなる。
【００１９】
請求項３の発明は、請求項２の発明において、前記撮像素子は、複数の色フィルタを備
え前記結像光学系によって結像された光学像を前記各色フィルタに対応する色情報を含む
電気信号に変換して出力し、前記信号生成手段は、前記電気信号から前記各色フィルタに
対応する色信号を生成して出力し、前記赤外光量判定手段は、前記信号生成手段からの各
色信号のレベルを比較して、各色信号レベルの比が所定の比率範囲内である場合に前記撮
像素子に入射している赤外光の光量が前記所定の光量以上であると判定することを特徴と
している。
【００２０】
この構成によれば、前記撮像素子から出力される電気信号は、結像光学系によって結像
された光学像を変換した電気信号であって、複数の色フィルタに対応する色情報を含む電
気信号となり、信号生成手段に与えられる。そして、信号生成手段は、与えられた電気信
号から前記各色フィルタに対応する色信号を生成して赤外光量判定手段に与え、赤外光量
判定手段は、与えられた各色成分の色信号レベルの比が所定の比率範囲内である場合に前
記撮像素子に入射している赤外光の光量が所定の光量以上であると判定して画像処理手段
の動作を停止させる。
【００２１】
請求項４の発明は、請求項３の発明において、前記複数の色フィルタが、Ｒ（赤）、Ｇ
（緑）、Ｂ（青）の３色の色フィルタであり、前記赤外光量判定手段は、各色成分の色信
号レベルの比が略同一である場合に前記撮像素子に入射している赤外光の光量が前記所定
の光量以上であると判定することを特徴としている。
【００２２】
この構成によれば、撮像素子から出力される電気信号は、結像光学系によって結像され
た光学像を変換した電気信号であって、Ｒ（赤）、Ｇ（緑）、Ｂ（青）の３色の色情報を
含む電気信号となって信号生成手段に与えられ、信号生成手段は、与えられた電気信号か
ら前記３色の各色成分に対応する色信号を生成して赤外光量判定手段に与え、赤外光量判
定手段は、与えられた各色成分の色信号レベルの比が略同一である場合に前記撮像素子に
入射している赤外光の光量が所定の光量以上であると判定する。
【００２３】
請求項５の発明は、請求項３の発明において、前記複数の色フィルタが、Ｃ（シアン）
、Ｍ（マゼンタ）、Ｙ（イエロー）の３色の色フィルタであり、前記赤外光量判定手段は
、各色成分の色信号レベルの比が略同一である場合に前記撮像素子に入射している赤外光
の光量が前記所定の光量以上であると判定することを特徴としている。
【００２４】
この構成によれば、撮像素子から出力される電気信号は、結像光学系によって結像され
た光学像を変換した電気信号であって、Ｃ（シアン）、Ｍ（マゼンタ）、Ｙ（イエロー）
の３色の色情報を含む電気信号となって信号生成手段に与えられ、信号生成手段は、与え
られた電気信号から前記３色の各色成分に対応する色信号を生成して赤外光量判定手段に
与え、赤外光量判定手段は、与えられた各色成分の色信号レベルの比が略同一である場合
に前記撮像素子に入射している赤外光の光量が所定の光量以上であると判定する。
【００２５】
請求項６の発明は、請求項２〜請求項５のいずれかの発明において、表示手段を有し、
前記赤外光量判定手段は、前記撮像素子に入射している赤外光の光量が前記所定の光量以
上であると判定した場合には、前記表示手段に所定のエラー表示を行うことを特徴として
いる。
【００２６】
この構成によれば、前記赤外光量判定手段が、前記撮像素子に入射している赤外光の光
量が前記所定の光量以上であると判定した場合には表示手段に所定のエラー表示を行うの
で、ユーザにとっては、前記画像処理手段による画像データの生成が行われなくなったこ
とを認識することが容易となる。
【発明の効果】
【００２７】
以上のように本発明によれば、赤外光遮断フィルタを備えたデジタルスチルカメラ及び
撮像装置において、この赤外光遮断フィルタが取り外され、赤外光遮断フィルタを通して
は入射することのない赤外光が撮像素子に入射している場合には、画像処理手段による画
像データの生成が行われなくなるので、赤外光遮断フィルタを取り除く改造を行うとデジ
タルスチルカメラ及び撮像装置が使用できなくなることから、簡単な構成でありながら赤
外光遮断フィルタを取り除く改造が行われることを防止することができるデジタルスチル
カメラ及び撮像装置が実現できる。
【発明を実施するための最良の形態】
【００２８】
以下、添付図面を参照しつつ、本発明の実施形態について説明する。図１は、本発明の
一実施形態のデジタルスチルカメラ（ＤＳＣ、撮像装置）の要部構成を示すブロック図で
ある。
【００２９】
図１において、１はＤＳＣであり、ＤＳＣ１は、被写体像（光学像）を結像させるため
のレンズを含んで構成されたレンズユニット（結像光学系）２と、レンズユニット２の光
軸後方に配設され、レンズユニット２から入射する赤外光を遮断するための光学フィルタ
（クリスタルフィルタ）である赤外光遮断フィルタ３と、さらにその後方に配設され、被
写体像が結像されその結像された被写体像を電気信号に変換して出力するＣＣＤイメージ
センサ（以下、単にＣＣＤと称す）４を備えている。
【００３０】
また、ＤＳＣ１は、ＣＣＤ４の駆動を制御するとともにＣＣＤ４から読み出された被写
体像を示す出力信号に対して所定のアナログ信号処理を施すアナログフロントエンド５と
、主として画像データに対して所定のデジタル信号処理を施して画像処理を行う画像処理
回路（画像処理手段）６と、表示手段として撮影によって得られた画像や各種情報を表示
するためのＬＣＤ（Liquid Crystal Display）７と、撮影者による操作情報等が入力され
、それらの操作情報等に応じてＤＳＣ１全体の制御を行うＣＰＵ（Central Processing U
nit、赤外光量判定手段）８を備えて構成されている。
【００３１】
レンズユニット２は、ステッピングモータ等の駆動源の駆動力により焦点位置を変更可
能な機構（オートフォーカス（ＡＦ）機構）を備えたズームレンズ（焦点距離可変レンズ
）であり、このＡＦ機構及びズーム機構は、図示しない駆動回路によって駆動される。尚
、ＡＦ機構のみを備えた焦点距離固定レンズを用いてもよい。
【００３２】
そして、このレンズユニット２の焦点位置に相当する位置に、撮像素子であるＣＣＤ４
が配設されており、レンズユニット２を通過した光は、ＣＣＤ４の受光面上に結像される
ようになっている。
【００３３】
このＣＣＤ４の受光面上には、多数個の光電変換セルがマトリクス状に配列されており
、各々のセルにおいて受光量に応じた信号電荷を蓄積し、当該蓄積した信号電荷をアナロ
グ画像信号として出力する。また、ＣＣＤ４の受光面にはセル毎に所定の順序で配列され
たＲ（赤）、Ｇ（緑）、Ｂ（青）の色フィルタが設けられており、これによって、出力さ
れるアナログ画像信号には色情報が含まれることになる。
【００３４】
また、このＣＣＤ４は、アナログフロントエンド５と接続されており、アナログフロン
トエンド５は内部に、図示しないタイミングジェネレータ、アナログ処理回路、Ａ／Ｄコ
ンバータを含んで構成されている。尚、このタイミングジェネレータは、アナログフロン
トエンド５とは別に設けるようにしてもよいし、ＣＣＤ４に内蔵されるようにしてもよい
。
【００３５】
ＣＣＤ４は、このタイミングジェネレータからのタイミング信号と同期して、撮影した
被写体像を表すアナログ画像信号を出力する。そして、ＣＣＤ４から出力されたアナログ
画像信号は、アナログフロントエンド５に入力されるようになっている。
【００３６】
アナログフロントエンド５では、この入力されたアナログ画像信号に対して、タイミン
グジェネレータのタイミング信号と同期して、アナログ処理回路により相関２重サンプリ
ング処理などの所定の信号処理を施した後、Ａ／Ｄコンバータによりデジタル画像信号に
変換して出力する。アナログフロントエンド５の出力端は、画像処理回路６と接続されて
おり、アナログフロントエンド５から出力されたデジタル画像信号は、画像処理回路６へ
伝達されるようになっている。
【００３７】
画像処理回路６は、画像信号処理手段としてのＤＳＰ（Digital Signal Processor、信
号生成手段）６ａと、主としてＣＣＤ４による撮影によって得られた画像データを一時的
に記憶するためのＳＤＲＡＭ（Synchronous DRAM）６ｂを含んで構成されている。このＤ
ＳＰ６ａは、ＣＰＵ８からイネーブル信号が与えられているときには動作し、ディスイネ
ーブル信号が与えられているときには動作を停止するようになっている。
【００３８】
また、ＤＳＰ６ａは、アナログフロントエンド５と各種情報を授受可能に接続されてお
り、アナログフロントエンド５から出力されたデジタル画像信号を取り込み、取り込んだ
デジタル画像信号をＳＤＲＡＭ６ｂの所定領域に画像データとして一旦格納した後、ＳＤ
ＲＡＭ６ｂから画像データを読出して、所定のデジタル信号処理を施した後、再びＳＤＲ
ＡＭ６ｂに書き戻すという処理を行う。
【００３９】
このときＤＳＰ６ａで実行されるデジタル信号処理には、例えば、ＣＣＤ４の欠陥画素
に対応する画像データを当該欠陥画素の周辺の画素に対応する画像データを用いて補正す
る欠陥画素補正処理、画像の明るさを補正するγ補正処理、画像を先鋭化するエッジ強調
処理、色のバランス調整を行うゲイン補正処理（所謂、ホワイトバランス補正処理）、及
び、Ｒ（赤）、Ｇ（緑）、Ｂ（青）の３原色の画像データを輝度信号及び色信号に変換す
る変換処理などが含まれ、ＳＤＲＡＭ６ｂに書き戻されるデータは、この変換処理後のデ
ータとなる。
【００４０】
そして、ＳＤＲＡＭ６ｂに書き戻された画像データは、ユーザから撮影記録が指示され
た場合には、ＤＳＰ６ａにより読み出され、所定の圧縮形式（例えば、ＪＰＥＧ（Joint 
Photographic Experts Group）形式等）で圧縮する圧縮処理が行われた後、図示しないメ
ディアインターフェースを介して図示しない記録メディアへ記録される。
【００４１】
また、ＬＣＤ７は、撮影時には、ＣＣＤ４による連続的な撮像によって得られた動画像
（スルー画像）を表示し、ファインダとして使用できるものとして構成されている。この
ようにＬＣＤ７をファインダとして使用する場合には、ＤＳＰ６ａは、デジタル信号処理
した後の画像データを所定方式（例えば、ＮＴＳＣ方式）の映像信号に変換する表示制御
回路（不図示）を介して順次ＬＣＤ７に出力する。これによって、ＬＣＤ７にスルー画像
が表示される。
【００４２】
このようなＤＳＰ６ａによる被写体像のＬＣＤ７へのスルー画像表示や記録メディアへ
の記録動作、即ち、撮像動作は、ＣＣＤ４が所定の光量以上の赤外光を受光していないと
ＣＰＵ８が判定した場合に、ＣＰＵ８からＤＳＰ６ａにイネーブル信号が与えられ、ＤＳ
Ｐ６ａが動作することにより行われる。
【００４３】
一方、ＣＣＤ４が所定の光量以上の赤外光を受光しているとＣＰＵ８が判定した場合に
は、ＣＰＵ８からＤＳＰ６ａにディスイネーブル信号が与えられ、ＤＳＰ６ａが動作を停
止してしまうことにより、ＤＳＰ６ａによる被写体像のＬＣＤ７へのスルー画像表示や記
録メディアへの記録動作、即ち、撮像動作は行われなくなる。
【００４４】
このＣＰＵ８によるＣＣＤ４が所定の光量以上の赤外光を受光しているか否かの判定は
、ＤＳＰ６ａによってＳＤＲＡＭ６ｂから読み出された画像データを分析することにより
行われるが、その原理は次の通りである。
【００４５】
一般的に、ＣＣＤの色別の感度特性は、色の種類にかかわらず波長が８００ｎｍ程度以
上の長波長の光に対してはほぼ同一となる。従って、波長が８００ｎｍ程度以上であり所
定の光量以上の赤外光が照射された場合におけるＣＣＤから出力されるＲ（赤）、Ｇ（緑
）、Ｂ（青）の３原色の色信号レベルの比は、被写体の色によらずほぼ一定となるため、
この３原色の色信号レベルの比を求めることにより、ＣＣＤに所定の光量以上の赤外光が
照射されているか否かを判定できる。
【００４６】
具体的には、ＣＰＵ８は、ＤＳＰ６ａによりＳＤＲＡＭ６ｂから読み出された画像デー
タが示すＲ（赤）、Ｇ（緑）、Ｂ（青）の３原色の色信号レベルの比であって、Ｒ成分と
Ｇ成分の比、並びに、Ｂ成分とＧ成分の比がほぼ一致する場合に、ＣＣＤ４に所定の光量
以上の赤外光が照射されていると判定する。尚、この所定の光量とは、赤外光遮断フィル
タ３が装着されている場合にはＣＣＤ４に入射することのない赤外光の光量をいう。また
、Ｒ（赤）、Ｇ（緑）、Ｂ（青）の３原色の色信号レベルの比が所定の比率範囲内である
場合に、ＣＣＤ４に所定の光量以上の赤外光が照射されていると判定するようにしても良
い。
【００４７】
このようにして、ＣＣＤ４が所定の光量以上の赤外光を受光しているとＣＰＵ８が判定
した場合には、ＣＰＵ８がＤＳＰ６ａにディスイネーブル信号を与え、ＤＳＰ６ａが動作
を停止してしまうことにより、上述したＤＳＰ６ａによる記録メディアへの記録動作やＬ
ＣＤ７へのスルー画像表示が行われなくなる。即ち、ＤＳＣ１による撮像ができなくなる
。
【００４８】
また、このとき、ＣＰＵ８はＬＣＤ７にエラー表示（例えば、「赤外光の受光によりエ
ラー発生」）を行うように制御するので、ユーザは、記録メディアへの記録動作やＬＣＤ
７へのスルー画像表示が行われなくなり、ＤＳＣ１による撮像ができなくなったことを容
易に認識することができる。
【００４９】
以上説明したように、本実施形態のＤＳＣ１において、赤外光遮断フィルタ３が取り除
かれる改造が行われた場合には、ＣＣＤ４が所定の光量以上の赤外光を受光することにな
り、ＣＰＵ８がそれを判定してＤＳＰ６ａの動作を停止させるのでＤＳＣ１による撮像が
できなくなる。即ち、本実施形態のＤＳＣ１では、赤外光遮断フィルタ３を取り除く改造
を行っても、従来の撮像装置では行うことのできた透視などの不正な行為を行うことが不
可能となる。
【００５０】
また、このことは、赤外光遮断フィルタ３を取り除く改造を行うとＤＳＣ１が使用でき
なくなるということであるから、赤外光遮断フィルタ３を取り除く改造が行われることを
なくすことができる。即ち、赤外光遮断フィルタ３を取り除く改造が行われることを防止
することができる。
【００５１】
尚、本実施形態のＤＳＣ１では、ＣＣＤ４に、Ｒ（赤）、Ｇ（緑）、Ｂ（青）の３原色
の色フィルタが設けられ、ＣＣＤ４から各セル毎のＲ（赤）、Ｇ（緑）、Ｂ（青）の３原
色の画像データが出力される例を示したが、ＣＣＤ４に設けられる色フィルタの色は、Ｒ
（赤）、Ｇ（緑）、Ｂ（青）の補色であるＣ（シアン）、Ｍ（マゼンタ）、Ｙ（イエロー
）の３色であり、ＣＣＤ４から各セル毎のＣ（シアン）、Ｍ（マゼンタ）、Ｙ（イエロー
）の３色の画像データが出力されるようにしても構わない。
【００５２】
また、本実施形態の撮像装置はデジタルスチルカメラ（ＤＳＣ）であったが、本発明は
、デジタルビデオカメラ等、撮像素子としてＣＣＤを搭載した他の撮像装置に適用するこ
とも可能である。
【００５３】
さらに、今回開示された実施の形態はすべての点で例示であって制限的なものではない
と考えられるべきである。本発明の範囲は上記した説明ではなくて特許請求の範囲によっ
て示され、特許請求の範囲と均等の意味及び範囲内でのすべての変更が含まれることが意
図される。
【図面の簡単な説明】
【００５４】
【図１】本発明の一実施形態のデジタルスチルカメラ（ＤＳＣ、撮像装置）の要部構成を示すブロック図である。
【符号の説明】
【００５５】
１    デジタルスチルカメラ（ＤＳＣ、撮像装置）
２    レンズユニット（結像光学系）
３    赤外光遮断フィルタ
４    ＣＣＤ（撮像素子）
５    アナログフロントエンド
６    画像処理回路（画像処理手段）
６ａ    ＤＳＰ（信号生成手段）
６ｂ    ＳＤＲＡＭ
７    ＬＣＤ（表示手段）
８    ＣＰＵ（赤外光量判定手段）
【図１】
2006197315.tif 000003